(57)【要約】【課題】サイディングの上端や外壁の側端部に用いられる端部用部材の形状を改善することで、雨仕舞用のシーリングを一箇所で済ますことができ、施工を容易にするものであり、かつ雨仕舞を向上させることを課題とする。【解決手段】サイディングの裏面端部に配される下地ジョイナー１と、該下地ジョイナー１と着脱自在に雌雄弾性係合してサイディング４の端部を被覆する化粧ジョイナー２とからなるサイディングの端部用部材において、化粧ジョイナー２は大略Ｆ型の外形をなし上部水平平面部２２の先端が外壁下地面３と接するように形成され、さらに下地ジョイナー１の平面取り付け部１１が、該下地ジョイナー１の雌雄弾性係合部材より上方まであるサイディング端部用部材。【選択図】図１
2007016428.tif 000002
【特許請求の範囲】
【請求項１】
サイディングの裏面端部に配される下地ジョイナーと、該下地ジョイナーと着脱自在に雌雄弾性係合してサイディングの端部を被覆する化粧ジョイナーとからなるサイディングの端部用部材において、化粧ジョイナーは断面が大略Ｆ型の外形をなし上部水平平面部の先端が外壁下地面と接するように形成されているサイディング端部用部材。
【請求項２】
下地ジョイナーの平面取り付け部が、該下地ジョイナーの雌雄弾性係合部材より上方まである請求項１記載のサイディング端部用部材。
【請求項３】
下地ジョイナーおよび化粧ジョイナーがアルミ等の押し出し成型品である請求項１記載のサイディング端部用部材。
【発明の詳細な説明】
【技術分野】
【０００１】
近年乾式工法の普及に伴い住宅の外壁においても、外壁用に製造された板状のサイディングが使用されている。このサイディングは外壁下地面に取り付けられ、その上端および側端部には雨仕舞用の端部用部材が用いられる。この雨仕舞用の端部用部材は、外壁下地面に取り付けられる下地用ジョイナーおよび化粧ジョイナーから構成され、互いに雌雄弾性係合して形成される。
【背景技術】
【０００２】
サイディングを施工する場合、サイディングの上端や外壁の側端部には雨仕舞用の端部用部材が用いられ、この端部用部材はサイディングの端部を被覆しサイディングの裏面に雨水の侵入を防止している。この雨水の侵入を防止するには部材だけでは不十分で一般にはシーリング施工が施されるが、十分な防水効果を得るためにはかなりの技術や経験を要するものである。
【特許文献１】特開平８−２６０６８５号公報（第６頁、図９）
【発明の開示】
【発明が解決しようとする課題】
【０００３】
上記特許文献に記載されている建築用止縁セットはアルミニウムの板を折り曲げて形成したもので、主に出隅部のサイディングの側端部に使用されるものである。本発明の図４に示すものは上記特許文献に記載された図９と同様の従来用いられている端部用部材によるサイディングの上端での施工状態図である。
【０００４】
これによると施工されたサイディング４の水密上の弱点は、下地ジョイナー１の上端縁と外壁下地面３との接触部にシーリング５を充填する必要があることである。更にもう一つの弱点は、下地ジョイナー１の雌雄弾性係合部の雌部を構成する上部平面部１５および下部平面部１６間に化粧ジョイナー２の雌雄弾性係合部の雄部２５を挿入したとき、該化粧ジョイナー２の垂直平面部２１と下地ジョイナー１の上部平面部１５との当接部にシーリング５を充填する必要があることである。即ち、防止効果を高めるにはサイディングの施工においてサイディングの上部だけで二箇所のシーリング施工が必要になる。本発明はこのサイディング端部用部材の形状を改善することにより、シーリング施工部を一箇所にすることで施工を容易にする。同時に雨水のサイディング裏面への侵入防止をより一層向上させたものである。
【課題を解決するための手段】
【０００５】
上記課題を解決するために、本発明に係るサイディング端部用部材の第一の特徴構成は請求項１に記載した如く、サイディングの裏面端部に配される下地ジョイナーと、該下地ジョイナーと着脱自在に雌雄弾性係合してサイディングの端部を被覆する化粧ジョイナーとからなるサイディングの端部用部材において、化粧ジョイナーは断面が大略Ｆ型の外形をなし上部水平平面部の先端が外壁下地面と接するように形成されている点にある。
【０００６】
同第二の特徴構成は、請求項２に記載した如く、第一の特徴構成に加えて上記下地ジョイナーの平面取り付け部が、該下地ジョイナーの雌雄弾性係合部材より上方まである点にある。
【０００７】
同第三の特徴構成は、請求項３に記載した如く、下地ジョイナーおよび化粧ジョイナーがアルミ等の押し出し成型品である点にある。
【発明の効果】
【０００８】
請求項１に記載のサイディング端部用部材は前記構成であり、化粧ジョイナーの上部水平平面部の先端が外壁下地面と接するように形成されている。そのため下地ジョイナーが化粧ジョイナーで被覆される。したがってシーリング施工が一箇所で済む。
【０００９】
請求項２に記載されたサイディング端部用部材は前記構成であり、下地ジョイナーの平面取り付け部がジョイナーの雌雄弾性係合部より上方まであるのでこの部分を利用して下地ジョイナーを外壁下地面に釘打ちすることができる。そのために下地ジョイナーの上端部が外壁下地面と密着することができ、防水効果を向上させている。
【００１０】
請求項３に記載のサイディング端部用部材は前記構成であり、押し出し成型品であるために部分的な厚みの変化に対応した部材を容易に得ることができる。
【発明を実施するための最良の形態】
【００１１】
以下、本発明の実施形態について図面を参照して、詳細に説明する。図１ないし図３は本発明の実施例を示したものである。図１は本発明に係るサイディング端部用部材の一部切り欠き分解斜視図であり１は外壁下地面３に取り付けられる下地ジョイナーである。下地ジョイナー１は外壁下地面３に釘などで取り付けられる平面取り付け部１１とこの平面取り付け部１１の上部に設けられ前方に突出した雌雄弾性係合部材の雄部１２とからなっている。
【００１２】
この平面取り付け部１１には、雌雄弾性係合部材より上方に一部突出する突出平面部１３を有している。この突出平面部１３を利用して釘打ちすることで下地ジョイナー１の上端が外壁下地面３に密着して取り付けられるものである。
【００１３】
２は断面が大略Ｆ字型の化粧ジョイナーであり、垂直な部分である垂直平面部２１はサイディング４の表面上部を被覆し、上部には上部水平平面部２２とその下に設けられた平行な下部水平平面部２３とを用いて、下地ジョイナー１の雌雄弾性係合部材の雄部１２と係合する化粧ジョイナー２の雌雄弾性係合部材の溝状の雌部２４が形成されている。この上部水平平面部２２は、下地ジョイナー１と化粧ジョイナー２が係合した場合に、その上部水平平面部２２の先端が外壁下地面３に接する幅を有している。
【００１４】
図２は図１に示すサイディング端部用部材を用いた施工状態を示す断面図である。ここにおいて下地ジョイナー１は外壁下地面３に平面取り付け部１１を介して取り付けられており、この下地ジョイナー１の平面取り付け部１１の上にサイディング４が配される。このサイディング４の上端面に化粧ジョイナー２の雌雄弾性係合部材を形成する下方水平平面部２３が接するように配され、化粧ジョイナー２の雌雄弾性係合部材と下地ジョイナー１の雌雄弾性係合部材とが係合した状態で施工される。化粧ジョイナー２の上部水平平面部２２の先端は外壁下地面３と接している。
【００１５】
図３はサイディング端部用部材の他の実施例を用いた施工断面図である。この場合には下地ジョイナー１に雌雄弾性係合部材の溝状をなす雌部１４が形成されている。雌雄弾性係合部材は下地ジョイナー１の平面取り付け部１１から水平に突出する二本の平行な上部平面部１５と下部平面部１６とで雌雄弾性係合部の雌部１４が形成されている。サイディング４は下地ジョイナー１の下部平面部１６と接するように配される。一方化粧ジョイナー２はサイディング４の上端を被覆するように配され、化粧ジョイナー２の雌雄弾性係合部として設けられた雄部２５が下地ジョイナー１の雌雄弾性係合部の雌部１４と係合されて取り付けられる。この場合も化粧ジョイナー２の上部水平平面部２２の先端は外壁下地面３に接している。
【００１６】
図２および図３に示すように下地ジョイナー１と化粧ジョイナー２の雌雄弾性係合部材の雄部、雌部の形状は逆になっているが着脱自在に係合できればよいのでその形状等は自由に形成してよいものである。しかし両実施例とも化粧ジョイナー２の上部水平平面部２２はサイディング４を施工した状態で外壁下地面３に接しているものである。
【００１７】
このように下地ジョイナー１は化粧ジョイナー２により外部に露出することなく被覆されるので化粧ジョイナー２の上部水平平面部２２の先端と外壁下地面３との接する部分にシーリング５を処理することによりサイディング４の裏面に雨水が侵入するのを防止することができる。
【００１８】
このように本発明ではサイディング施工をする場合においてシーリング処理を一箇所にしても十分な防水性が得られる。さらに本発明では下地ジョイナー１および化粧ジョイナー２はアルミ等の押し出し成型品である。したがって角部などの強度の要求される部分を厚く形成できるので、打撃等による凹みなどが生じ難いものである。
【００１９】
なお、本発明ではサイディング４の上端部を被覆するために用いているが、サイディング４の壁面端部を被覆するために用いることもできるものである。
【図面の簡単な説明】
【００２０】
【図１】本発明に係るサイディング端部用部材の一部切り欠き分解斜視図である。
【図２】図１に示すサイディング端部用部材を用いたサイディングの施工断面図である。
【図３】他の実施例を用いたサイディングの施工断面図である。
【図４】従来例のサイディング端部用部材を用いたサイディングの施工断面図である。
【符号の説明】
【００２１】
１      下地ジョイナー
１１    下地ジョイナーの平面取り付け部
１２    下地ジョイナーの雌雄弾性係合部の雄部
１３    突出平面部
１４    下地ジョイナーの雌雄弾性係合部材の雌部
１５    下地ジョイナーの上部平面部
１６    下地ジョイナーの下部平面部
２      化粧ジョイナー
２１    化粧ジョイナーの垂直平面部
２２    化粧ジョイナーの上部水平平面部
２３    化粧ジョイナーの下部水平平面部
２４    化粧ジョイナーの雌雄弾性係合部の雌部
２５    化粧ジョイナーの雌雄弾性係合部の雄部
３      外壁下地面
４      サイディング
５      シーリング
【図１】
2007016428.tif 000003
【図２】
2007016428.tif 000004
【図３】
2007016428.tif 000005
【図４】
2007016428.tif 000006